(57)【要約】【課題】  従来の効率が高い波力発電装置では、海洋土木工事費用が極めて高価となって、実用的な低廉な波浪発電電力の供給を妨げてきた。海洋土木工事費用が懸からない浮体方式の波力発電装置は、波浪による浮体の揺動で波力からの効率的な動力取得が妨げられて、実用に堪える効率には程遠かった。【解決手段】  進行してくる波を正面から受け入れる開口を備えた水室に振り子式波力発電手段を設ける一方で、振り子位置から１／２波長下流位置の、波の位相が１８０°遅れる位置に垂直板と水平板を設けて水室を備える船体の本体にしっかりと固定することに加え、水室に加わる海水の垂直荷重と船体浮力とを一致させた。【選択図】    図２
2005069212.tif 000002
【特許請求の範囲】
【請求項１】
一面が海上を進行してくる波に向かって開口した水室を備え、この水室は船体と底板および開口の反対側端面の後壁を共通構成要素とし、この水室の両側面となる一対の所定の幅を有する側板を備えて船体が構成されると共に、水室内部には振り子板のような波力取得手段が備えられる一方で、海面の上下動を伴う波動が水室内部に侵入しこれと同期した波動が船体に加える浮力変動と、水室内部の底板に加わる海水圧変動による垂直荷重変動とが同一のレベルとなる寸法に側板の幅が定められていることを特徴とする浮体型波力発電装置
【請求項２】
一面が海上を進行してくる波に向かって開口した水室を備え、この水室は船体と底板および開口の反対側端面の後壁を共通構成要素とし、この水室の両側面となる一対の所定の幅を有する側板を備えて船体が構成されると共に、水室内部には波力取得手段としての振り子板が設けられる一方で、海面の上下動を伴う波動が水室内部に侵入しこれと同期した波動が船体に加える浮力変動と、水室内部の底板に加わる海水圧変動による垂直荷重変動とが同一のレベルとなる寸法に側板の幅が定められていることに加え、振り子板の取付位置から１／２波長離れた下流位置に、十分な面積を有する垂直板が連結板により強固に船体に固定されて成る浮体型波力発電装置
【請求項３】
垂直板の底部に水平板が固定されていることを特徴とする請求項２に記載の浮体型波力発電装置
【請求項４】
船体の係留は一本の係留ロープによる緩い係留方式であり、風向きの変化に伴う波の進行方向変化が発生しても、水室の開口を常に進行波の正面に向かわせる波力を受ける連結板が船体と垂直板とを強固に連結していることを特徴とする請求項２若しくは請求項３に記載の浮体型波力発電装置
【発明の詳細な説明】
【技術分野】
【０００１】  本発明は、海岸から離れた海上での自然エネルギーの波力を駆動力とする、高効率の浮体型波力発電装置に関する。
【背景技術】
【０００２】  エネルギー資源の枯渇と地球温暖化に象徴される環境対策が、近い将来の重要な問題であることが広く認識されるようになり、風力や太陽エネルギーを利用する自然エネルギー発電が盛んになりつつある中で、賦存量が２７億キロワットといわれる海洋波浪エネルギーは、実用化の見通しは厳しく、小数の実証プラントが建設されたに止まっている。以前から海洋波浪エネルギーの利用研究は続けられているのだが、波力発電の経済性確立が容易ではないことが、実用化の最大のネックとなっている。【０００３】  浮体に発電装置を搭載し、洋上で発電するタイプとして、最も古い実証装置である波力発電船「海明」や、三重県南勢町に近年設けられた「マイティホエール」の実例があるが、浮体の揺動により効率低下が生じ、その対策には多額の費用を必要としてきた。現実には、実用化には程遠い低効率装置に止まっている。【０００４】  一方、防波堤などの固定物に発電装置を据え付けて、沿岸で発電するタイプとして、本発明者らが室蘭港で実証装置を設置した、振り子式発電装置や、海外での実例が多い水柱振動式波力発電装置の例がある。沿岸の低エネルギー波浪が動力源の対象であるが、効率は実用化に堪える良好なレベルである反面、防波堤などの施設は極めて高価であり、発電目的で防波堤を建設していては発電単価の低減は望めない。
【特許文献１】  米国特許第４，５８０，４００号  公報
【特許文献２】  日本国特許第２５３９７４２号  公報
【非特許文献１】  設計工学  Ｖｏｌ．３６，Ｎｏ．１”波浪発電実用化の展望と課題”
【発明の開示】
【発明が解決しようとする課題】
【０００５】  本発明が解決しようとする第一の課題は、小型で極めて簡易な構造の低コスト浮体型波力発電装置を実現することであり、第二の課題は、波力による浮体揺動を波力自体によって効果的に抑制する結果、波力からのエネルギー取得効率を著しく高めることができる浮体型波力発電装置を得ることであり、第三の課題は、これらの両課題解決による相乗効果により、経済的な実用レベルに達することができる、真に実用可能な波力発電装置を世界で初めて提供することである。
【課題を解決するための手段】
【０００６】  本発明では、波力発電装置の基本を浮体型式に選んでいる。この型式の波力発電装置は、浮体揺動による発電効率の低下を如何に効果的に防げるかが重要である。浮体揺動は外力となる波力による強制振動現象の一例である。従って、この現象に関与するパラメータが判れば、直ちに現象は予測できる。本発明では先ず最初に、浮体揺動運動抑制のために、浮体に作用する波力の位相制御方式という新規な技術思想を導入することとした。揺動制御に効果がある位相遅れは１２０〜１８０°であり、少なくとも９０°以上の位相遅れの波力が浮体揺動に対してプラスに作用し、発電出力も増加するという原理は知られていたが、その具体的な実現手段が見つかっていなかった。本発明は、浮体に波を受け入れる水室と、この水室内部で揺動する振り子板で波力を受け取る基本構造を設けると共に、振り子板の取付位置から１／２波長の距離で、１８０°位相遅れとなる位置に十分な面積の垂直板とその下面に固定した水平板とを、しっかりと固定することで実現することができた。これは板を固定するだけの極めて簡便な構造である。従って運動制限を行う従来型の高価なダンパーは一切使用していない。
【発明の効果】
【０００７】  本発明によれば、浮体に水室を設けて、水室内波浪で発電するので、水室の形状・寸法の選択によって振動パラメータを操作し、浮体揺動を逆位相の波力により効果的に制御することが可能である。振り子式波力発電装置や水柱振動式波力発電装置はこの形式なので、浮体揺動制御に本発明の方式を採用すると、発電単価低減のためには大きな効果がある。従来は７割のコストを占めた防波堤やケーソンの海洋土木建設コストが不要であり、波力発電装置全体の建設コストの大幅な低減が可能となる。次いで浮体波力発電方式の揺動による効率低下問題が、極めて簡便な手段により効果的に解決できるに止まらず、浮体揺動をもたらしていた波力を積極的に発電出力向上に活用し、発電出力の大幅な増大が得られる。更には、従来の水柱振動式波力発電装置で必要であった、多点緊張係留方式は不要であり、緩い一点係留方式で十分なので、係留費用も大幅に少なくなる。この結果、上記各効果が相乗的に働いて、実用化に堪える効果的な発電単価低減を可能とする。【０００８】  又、本発明の浮体型波力発電装置は設置場所を変更できる効果がある。状況により設置場所を選択し、移動すれば、効果的な波力発電装置の運用が可能となり、台風が襲来する場合は安全な場所に避難できる。加えて、小型化や高出力化が可能なので、海洋深層水の汲み上げ、養殖用水域の水循環、水素製造や冷房用エコアイスの製氷用洋上プラントなどの広域利用に供することができる。本発明の浮体型波力発電装置を曳航可能な、母船となる作業船としての洋上プラントに対して、発電した略全量の電力を供給できるようにすれば、マイティホエールで問題になっている、地上への電力の送電手段が困難な問題も回避可能である。加えて、本発明では１点係留方式なので、波の向きが変化しても自然に対応可能である。従って風向き変化による効率低下は無くなる効果がある。
【発明を実施するための最良の形態・実施例】
【０００９】  本発明を実施するための最良の形態は、図１で示した海上の波の運動形態の位相による変化を踏まえた、合理的な形態でなければ前記効果は期待できない。従って、最初に図１により波面の運動ベクトル変化による位相毎の運動形態の説明から始める。図１の▲１▼から▲５▼の位相線図は、海底１に対して左手から右方向に進行する正弦波状の波の、１／４周期毎の波面の変化を示しており、同一地点の波面は９０°毎の位相変化を示している。▲１▼の位相線図の左端に示したＡ点は、▲２▼、▲３▼、▲４▼、▲５▼の各線図上において１／４波長の距離だけ海面を伝播し、▲５▼の位相線図の右端に到る波動が生じている。▲１▼の位相線図から▲５▼の位相線図までの波動は、丁度１波長に相当している。波動理論では、この間に水面に浮遊する物体が１波長距離だけ移動するのではなく、略円運動を繰り返す海水分子は、上流側から下流側に時間的な遅れを伴いながら円運動を伝播するために、見かけ上波面が下流側に移動するように波動が伝播している。本発明の波力発電装置が設置される海面は、水深１０ｍ程度の浅い海域を予定しているが、その場合は海面の水分子の運動は上下方向につぶれた楕円運動になっている。本発明の振り子設置予定位置は、破線で示すように▲２▼の位相線図のＡ点に相当する位置であり、垂直板の設置予定位置は、▲４▼の位相線図のＡ点に相当する位置である。この両位置における波面の運動ベクトルを楕円に沿う曲線で表している。▲１▼の位相線図の時は、振り子予定位置では波は頂点となり、右向きの大きな運動ベクトルで波の動きと波力を表現でき、垂直板の予定位置では谷底となる左向きの大きな運動ベクトルで波力を表現できる。この両者は波の位相が１８０°ずれていることになり、逆向き方向の波力が作用する。更に１／４周期経過後の▲２▼の位相線図の状態では、振り子予定位置のＡ点には下向きの矢印方向の波力となり、垂直板予定位置では図示の上向きの矢印方向の波力となる。更に１／４周期後の２／４周期時点である▲３▼の位相線図の時は、▲１▼の位相線図状態とは対称的に、振り子予定位置と垂直板予定位置は波の谷底位置と波の頂上位置になっており、波力も▲１▼の位相線図の時と逆方向となっている。更に１／４周期経過後の３／４周期時点では、▲４▼の位相線図で示したように、振り子位置では波力は上向きだがＡ点の垂直板位置では下向きである。そして更に１／４周期後の▲５▼の位相線図時点では、最初の▲１▼の位相線図に示す状態に復帰し、同様にして波の運動が周期的に繰り返される。
【００１０】  図２において▲１▼から▲５▼の位相図で示すのは、本発明の波力発電装置内部の水面変化の状態であり、位相毎に異なる変化を示す水面は図１同様に線図で表現している。この図２では、図１に示した位相線図とは異なり、振り子が設置される水室内部や垂直板後方では、周囲の波とは必ずしも同一ではなく、部分的に異なる水面変動を伴っている。この両者の違いは、同一位相を示している▲１▼から▲５▼の同一番号の位相図を比較すれば、明暸に理解できる。特に水室内部の奥の方の、振り子と水室とで囲まれて周囲の波から独立した閉鎖水室では、振り子の揺動に伴う定常波が発生し、水面も略一定の振動を繰り返している。
【００１１】  図２の▲１▼の位相図において、本発明の浮体型波力発電装置の基本構成を説明する。海底１に係留ロープ３で係留されている、浮体型波力発電装置の本体を構成する船体２は、左側に開口した水室４を有し、水室４内部で揺動可能に船体２の上部に軸攴された振り子板６が設けられている。水室４の底部には底板１１が設けられ、水室４の後方に設けられる閉鎖水室１０は、振り子板６と後壁５で囲まれて略閉鎖された水室を構成している。前記の振り子板６の揺動による定常波が生じているのは、この閉鎖水室１０の内部である。本発明における最も特徴的な垂直板８と水平板９とは、振り子板６の１／２波長後方の、位相差では１８０゜の差が生ずる位置に連結板７により船体２にしっかりと固定されている。波力を吸収し、これを電気動力に変換するために、油圧式の装置により振り子運動を一方向の回転運動に変換し、発電機を回転させているが、その技術的な詳細は前記の文献を参照されたい。船体２の浮力は適度な厚みを有する側板でもたらされるが、詳細は後述する。
【００１２】  図２の各位相図における波面の変化について説明する。最初に振り子板６の影響を説明すると、左手側から水室４内部に水流が向かう時、振り子板６の面上で水流が減速し、圧力が上昇している。これは水位の上昇を招くが、振り子板６が水流の速度とあまり変らない速度で揺動すれば、水位上昇も僅かである。逆に、水流が振り子板６から遠退く方向に移動する時、振り子板６の面上で水流が加速し、水圧が低下している。これによって水位の低下をきたすが、振り子板６との相対的な速度が低下すれば、前記同様に水位の変化も少なくなる。閉鎖水室１０内部では、波が定常波運動をしている結果、振り子板６が右方向に向かって揺動している時は、閉鎖水室１０の体積が狭められるのに連動して水面上昇が起こり、逆方向の左方向に向かって揺動している時は、閉鎖水室１０の体積が膨張するのに連動して水面降下が生じている。これらの各水面の運動により、振り子板６を軸支する軸には、交互に反時計回りと時計回り方向の回転モーメントＭが発生している。▲１▼の位相図では、振り子板６は垂直下方に向き、右方向へ向かって揺動運動している最中の状態であるが、水室４内部に導入された波は振り子板６の位置で頂点を極める一方で、閉鎖水室１０の水面はこれから振り子板６の揺動によって上昇しようとしており、低い方の水位である。１／４周期経過後の▲２▼の位相図で示す状態では、振り子板６は最も右側の位置迄揺動し、これから左方向への方向転換をしようとする瞬間である。方向転換のためには大きな時計回り方向のモーメントを必要としているが、閉鎖水室１０の水面は最も高くなり、水室４の水面は低くなっており、特に振り子板６附近の水面はこれから急速に下に向かって移動しようとしている。従って両水室間の水位の差が大きくなろうとしている。更に１／４周期経過後の▲３▼の位相図の状態になると、振り子板６は垂直下方に向き、最大速度で左方向に向かう揺動運動の最中であり、水室４の振り子板６附近の水面は最低の谷底であるが、閉鎖水室１０の水面は未だ中ぐらいの高さで、更に水面を低下させようとしている。更に１／４周期経過後の▲４▼の位相図の状態は、振り子板６が最も左側の位置に達して、今度は右方向に向かう方向転換をしようとしている瞬間である。左方向から開口した水室４内部に流入しようとする海水は、振り子板６の方向転換時点では振り子板６の速度が零となる結果、振り子板６に沿って水位が上昇し、右向きの回転モーメントを大きくしている。一方で閉鎖水室１０内部の水面は最低レベルであり、両水室の水面差が大きな右向き反時計回りのモーメントを生じている。これによって振り子板６が再び右方向に向かう揺動運動を開始して、更に１／４周期後の▲５▼の位相図の状態となると、前記の▲１▼の位相図状態に戻り、同様の運動を継続する。
【００１３】  前記で説明した振り子板６に生ずる波力を発電電力に変換するには、モーメントＭの反力を船体２に加えなければならない。地上に固定する装置の場合は、地面の圧力がこの反力を受持っていることになるが、海上に浮かんだ浮体式波力発電装置では、この発電に必要な反力を合理的に生み出す工夫が必要であり、本発明は、波の性質を上手に利用することで、高効率波力発電を可能としている。即ち、図２における▲１▼の位相図において、振り子板６は波の頂上の右向きの波力を受けているが、１／２波長だけ離れた垂直板８の位置は、１８０°位相遅れの谷底となった波の左向きの波力を受ける状態である。垂直板８の左側の海水は、谷底となる波の位相では迅速に左方向に流れて水面の下降を実現しているが、垂直板８の右側の海水は、垂直板８に妨げられて左方向への移動が出来ず、水圧を上げて水面も上昇している。この結果、振り子板６が波力により受ける右向きの力以上の、大きな左向き方向の力を垂直板８は波力から受けているものと考えられる。垂直板８に大きな力が加われば、発電に利用できる波力を積極的に増強していると考えられる。従って垂直板８の面積は十分に大きな面積とする方が有利であると考えられる。次いで▲２▼の位相図の状態では、時計回り方向のモーメントＭを受けて振り子板６は左方向に向かう方向転換を行うが、垂直板８の波面は上昇流により上向きの波力を受け、垂直板８の底部に固定された水平板９が、波力により船体２に反時計回り方向のモーメントを加える。更に１／４周期経過後の▲３▼の位相図の状態では、振り子板６は垂直方向になり左方向に向かう運動の真っ最中であり、時計回り方向のモーメントを受けるが、ここから１／２波長離れた１８０°位相遅れの垂直板８は、波の頂上に位置して右向きの波力を受けている。ここでも垂直板８は波面の右向き運動を阻止する働きをしており、その結果左側海面は周囲より上昇し、右側海面は周囲よりも低い海面になっている。この場合も、垂直板８が大きな力を船体２に加えると、波力から受ける発電エネルギーを高める効果が有ると考えられる。更に１／４周期だけ進行し▲４▼の位相図の状態になると、振り子板６は左向きから右向きへの方向転換を行う時であり、ここから１８０°位相遅れの垂直板８の位置では、水平板９が下向きの波力を受けている。振り子板６が受ける反時計回りのモーメントＭに対抗して、水平板９は時計回りのモーメントを船体２に与えている。更に１／４周期が経過した▲５▼の位相図の状態になると、最初の▲１▼の位相図の状態に戻り、順次これらの循環を繰り返す。
【００１４】  垂直板８とこれに固定された水平板９の作用について述べてきた。これらは船体２のサージモーションとピッチングモーションに関与している。即ち、垂直板８は船体２の前後方向の揺動となるサージモーションを効果的に防止し、水平板９はピッチングモーション防止に大きな貢献をしている。浮体揺動に関するもう一つの有害な船体の動きは、垂直方向に上下動するヒーブモーションであるが、この最後のヒーブモーション防止につき以下に説明を加える。図２の▲１▼から▲４▼の各位相図において、水室４の内部にある海水は、底板１１に対して垂直圧力となる水圧を加えている。この水圧は船体２に対して垂直荷重となっている。従って波の頂上が水室４の内部に深く侵入してくると、この垂直荷重も最大となり、同時に船体２に加わる浮力の最大値とほぼ同期して、垂直荷重と浮力とは相互に打ち消し合う作用が働くことになる。このための条件としては、水室４の幅寸法と船体の両側の側板の幅寸法とが整合された寸法であることが必要であるが、設計上の寸法の最適化で難なくこのヒーブモーション防止手段を得ることが可能である。因に模型実験装置では錘を船体内部に導入して最適調整を行っている。従ってこのヒーブモーション対策も確実に実現できる。
【００１５】  最後に図３により本発明の浮体型波力発電装置の船体２の構造を、１／２５模型の斜視図にて示し、説明を加える。この船体２の横幅は４０ｃｍ、長さは８０ｃｍ、高さは３７ｃｍとしている。水室４の開口は左端に開かれており、水室内部側には徐々に横幅を狭めて２２ｃｍ一定幅の、後壁５までの奥行きが５０ｃｍの水室を構成し、これを振り子板６で開放側の水室４と、閉鎖水室１０とに別けている。船体２は底板１１と両側の側板１２、１２および後壁５を有するが、船体２に必要な浮力を与えるのはこの側板１２の厚みである。１／２５模型ではこの厚み寸法は９ｃｍとしている。本発明装置の特徴的な構成要素である垂直板８とこれに固定された水平板９とは、連結板７、７により船体２にしっかり固定されている。この垂直板８の横幅は４２ｃｍであり、高さは船体２と同じ３７ｃｍである。振り子板６の取付位置から垂直板８までの距離は９５ｃｍである。この連結板７は波の向きが変化した時は、波力を受けて水室４の開口部を波の正面に向かわせる働きが期待できる。
【００１６】  この図３の１／２５模型を使用して水槽に波長１．９ｍの規則波を発生させて模型実験を行った。実験では振り子にダンパーを取り付けて、振り子の揺動運動における負荷条件を変えてエネルギー取得効率変化を測定した。従来のケーソン型振り子式波力発電装置でも、振り子の揺動運動の固有振動数と、負荷の最適化によるインピーダンスマッチングを図ることにより最高の効率化が図れたが、今回の実験では、実験装置の制約から最適条件からかなり外れた条件で負荷を変えながら行った。そのデータは、ケーソン型の効率を上回り、同等以上と評価できる結果が得られた。船体のヒーブ、サージ、及びピッチの各モーションも観測したが、いずれのモーションも小さく、かつ振り子位置の波に対して１８０°程度の位相遅れの微小モーションであることが確認できた。この時のエネルギー変換効率６５〜８６％は正にチャンピオンデータである。インピーダンスマッチングの最適化が図られれば、更に良好なデータが得られると考えられる。
【００１７】  尚、本発明の閉鎖水室の寸法は、従来のケーソン型波力発電における定常波の理論的寸法よりもかなり短めの寸法にしている。海上の波の１／４波長相当寸法の６３％程度である。その第一の理由は、水深が海上の波に比較して浅くなる水室では波の波長も短くなる性質が有るからである。第二の理由は、これ迄の経験により、規則波という実験上の波ではなく、波の波長と周期が不定である自然の波では、波長が長くなる波に対する効率低下は小さいものの、波長が短くなる波に対する効率の低下が著しく、全体の効率低下防止のためには、短い波長の波に合わせた装置にしておけば良いと考えられるからである。この結果、鉄板を溶接して建造する予定の船体の長さをかなり短縮でき、この点でも低コスト化には有利になっている。
【００１８】  規則波を利用する水槽内の実験データに対して、自然の波を対象とする実際の波力発電装置での効率の低下率は、経験によれば６５％程度である。今回のデータを基にした実機によるエネルギー取得効率は、概ね５５％程度と推定できる。
【００１９】  最後に発明を実施するための最良の実施例としての、実用機の設計寸法外の仕様を記述する。対象海面の水深：１０ｍ、波高：２ｍ、波周期：６秒、波長：４８ｍ、水室開口幅１０ｍ当りの入射波のパワー：２５０ｋｗ（規則波の場合）、発電機容量：１５０ｋｗ、総重量：１４０トン
【図面の簡単な説明】
【００２０】
【図１】  波の進行と海面の変化を波の１／４周期毎に示す５枚の波の位相線図である。
【図２】  本発明の浮体型波力発電装置の水室内部と垂直板附近の断面における、水室内水面変化と海面変化を示す、５枚の図１同様の１／４周期毎の位相図である。
【図３】  本発明の浮体型波力発電装置の１／２５模型の斜視図である。
【符号の説明】
【００２１】１    海底
２    本発明装置の波力発電装置を備えた浮体としての船体
３    船体の係留ロープ
４    海上の波を受け入れる開口を有する水室
５    水室の後壁
６    振り子板
７    垂直板を船体に固定する連結板
８    垂直板
９    垂直板の下部に固定された水平板
１０  閉鎖水室
１１  底板
１２  側板
Ｍ  振り子板に加わる回転モーメント
Ｔ  波の周期
【図１】
2005069212.tif 000003
【図２】
2005069212.tif 000004
【図３】
2005069212.tif 000005